(57)【要約】【課題】画像の表示とタッチ入力とを行うことができ、しかも、表示画像を、タッチ面の汚れに関係無く観察することができる電子機器を提供する。【解決手段】機器本体１と、前記機器本体１の１つの面に設けられた表示部７と、前記機器本体１の前記表示部７が設けられた面とは反対側の面に設けられたタッチ入力部１３とを備える。【選択図】図２
2010079660.tif 000002
【特許請求の範囲】
【請求項１】
機器本体と、
前記機器本体の１つの面に設けられた表示部と、
前記機器本体の前記表示部が設けられた面とは反対側の面に設けられたタッチ入力部と、
を備えることを特徴とする電子機器。
【請求項２】
タッチ入力部は、表示部の画面エリアと実質的に同じ形状の入力エリアを有していることを特徴とする請求項１に記載の電子機器。
【請求項３】
表示部とタッチ入力部は、前記表示部の画面エリアと、前記タッチ入力部の入力エリアとを、互いに背中合わせに対応させて配置されていることを特徴とする請求項２に記載の電子機器。
【請求項４】
表示部は、機器本体の１つの面に形成された表示窓と、前記機器本体内に前記表示窓に対向させて配置された表示パネルとからなっていることを特徴とする請求項１〜３のいずれかに記載の電子機器。
【請求項５】
タッチ入力部は、機器本体の反対側の面に配置されたタッチパネルからなっていることを特徴とする請求項１〜３のいずれかに記載の電子機器。
【発明の詳細な説明】
【技術分野】
【０００１】
この発明は、画像の表示とタッチ入力とを行うことができる電子機器に関する。
【背景技術】
【０００２】
従来、画像の表示とタッチ入力とを行うことができる電子機器は、機器本体に、液晶表示パネル等の表示パネルの観察側に透明なタッチパネルを配置したタッチパネル付き表示ユニット（特許文献１参照）を実装した構成となっている。
【特許文献１】特開２００２−１４９０８５号公報
【発明の開示】
【発明が解決しようとする課題】
【０００３】
しかし、上記タッチパネル付き表示ユニットを備えた従来の電子機器は、タッチ面の指紋や皮脂等の付着による汚れによって、表示画像が見づらくなるという問題をもっている。
【０００４】
この発明は、画像の表示とタッチ入力とを行うことができ、しかも、表示画像を、タッチ面の汚れに関係無く観察することができる電子機器を提供することを目的としたものである。
【課題を解決するための手段】
【０００５】
この発明の請求項１に記載の電子機器は、機器本体と、前記機器本体の１つの面に設けられた表示部と、前記機器本体の前記表示部が設けられた面とは反対側の面に設けられたタッチ入力部と、を備えることを特徴とする。
【０００６】
請求項２に記載の発明は、前記請求項１に記載の電子機器において、前記タッチ入力部は、前記表示パネルの画面エリアと実質的に同じ形状の入力エリアを有していることを特徴とする。
【０００７】
請求項３に記載の発明は、前記請求項２に記載の電子機器において、前記表示部と前記タッチ入力部は、前記表示部の画面エリアと、前記タッチ入力部の入力エリアとを、互いに背中合わせに対応させて配置されていることを特徴とする。
【０００８】
請求項４に記載の発明は、前記請求項１〜３のいずれかに記載の電子機器において、前記表示部は、前記機器本体の１つの面に形成された表示窓と、前記機器本体内に前記表示窓に対向させて配置された表示パネルとからなっていることを特徴とする。
【０００９】
請求項５に記載の発明は、前記請求項１〜３のいずれかに記載の電子機器において、前記タッチ入力部は、機器本体の反対側の面に配置されたタッチパネルからなっていることを特徴とする。
【発明の効果】
【００１０】
この発明の電子機器によれば、画像の表示とタッチ入力とを行うことができ、しかも、表示画像を、タッチ面の汚れに関係無く観察することができる。
【発明を実施するための最良の形態】
【００１１】
図１〜図３はこの発明の第１の実施例を示しており、図１（ａ）及び図１（ｂ）は電子機器の使用状態の正面図及び背面図、図２は前記電子機器の表示部及びタッチ入力部が設けられた部分の断面図である。
【００１２】
この実施例の電子機器は、折りたたみ型の携帯電話機であり、その機器本体１は、薄箱形状の本体ケース２と、前記本体ケース２の一端に設けられたヒンジ部４に支持され、図１（ａ）及び図１（ｂ）のように本体ケース２の外方に張出した開状態と、前記本体ケース２の上に重ねられた閉状態とに開閉回動される薄箱形状の蓋ケース３とからなっている。
【００１３】
前記本体ケース２には、折りたたみ時に前記蓋ケース３が重なる面（以下、本体ケース２の前面という）に、キーボード５とマイク部６が設けられており、前記蓋ケース３には、その１つの面、この実施例では、折りたたみ時に本体ケース２の前面に対向する面（以下、蓋ケース３の前面という）に、画像を表示するための表示部７が設けられ、この蓋ケース３の前面の先端に近い部分に、スピーカ部１２が設けられている。
【００１４】
さらに、前記蓋ケース３の前記表示部７が設けられた面とは反対側の面、つまり後面には、タッチ入力を行うためのタッチ入力部１３が設けられている。
【００１５】
前記表示部７は、図２のように、前記蓋ケース３の前面に形成された表示窓８と、前記蓋ケース３内に、観察側の面を前記表示窓８に対向させて配置された液晶表示パネル１０と、前記蓋ケース３内に、前記液晶表示パネル１０の観察側とは反対側の面に対向させて配置され、前記液晶表示パネル１０に向けて照明光を照射する面光源１１とからなっている。
【００１６】
なお、前記表示窓８は、前記蓋ケース３の前面に設けられた開口部からなっており、この表示窓８に、強化ガラスまたはアクリル樹脂等からなる透明な表示部保護板９が嵌着されている。そして、前記液晶表示パネル１０は、前記表示部保護板９の蓋ケース３内に対向する内面に図示しない透明な樹脂層によって貼付けられている。
【００１７】
また、前記タッチ入力部１３は、前記蓋ケース３の後面に配置された例えば静電誘導型のタッチパネル１５からなっている。このタッチパネル１５は、前記表示部７の画面エリア（液晶表示パネル１０の画面エリア）１０ａと実質的に同じ形状の入力エリア１５ａを有している。
【００１８】
そして、前記タッチパネル１５は、前記蓋ケース３の後面に前記タッチパネル１５の外形及び厚さに対応した形状及び深さに形成された凹入部１４に、タッチ面を外側に向けて嵌め込まれ、前記凹入部１４に貼付けられている。
【００１９】
さらに、前記表示部７と前記タッチ入力部１３は、前記表示部７の画面エリア１０ａと、前記タッチ入力部１３の入力エリア１５ａとを互いに背中合わせに対応させて、前記表示部７の画面エリア１０ａの真後に前記タッチ入力部１３の入力エリア１５ａが位置するように配置されている。
【００２０】
図３は前記携帯電話機の内蔵回路の構成図であり、この回路は、前記キーボード５と前記マイク部６を形成するマイクロフォン６ａと前記スピーカ部１２を形成するスピーカ１２ａ及び送受信用アンテナ１７が接続された電話機回路ブロック１６と、前記電話機回路ブロック１６から出力された表示データ信号に基づいて前記液晶表示パネル１０を駆動する表示ドライバ１８と、前記タッチパネル１５を駆動し、前記タッチパネル１５のタッチ位置のＸ，Ｙ軸座標を検出してそのタッチ位置信号を前記電話機回路ブロック１６に出力するタッチパネルドライバ１９と、前記電話機回路ブロック１６と前記表示ドライバ１８及び前記タッチパネルドライバ１９を制御する制御回路２０とにより構成されている。
【００２１】
この携帯電話機は、蓋ケース３を図１（ａ）及び図１（ｂ）のように開いて使用され、蓋ケース３を開くと、前記表示部７の面光源１１が点灯し、前記電話機回路ブロック１６から待ち受け画像のデータ信号が出力されて、前記表示部７に、待ち受け画像が表示される。
【００２２】
そして、キーボード５からの入力を行うと、キー入力に対応した表示データ信号が前記電話機回路ブロック１６から制御回路２０に出力され、制御回路２０は、前記表示データ信号を表示ドライバ１８に出力し、前記表示部７に、前記キー入力に対応した画像が表示される。
【００２３】
また、前記タッチ入力部１３のタッチ面（タッチパネル１５の外面）を例えば指でタッチするタッチ入力を行うと、タッチパネルドライバ１９は、タッチパネル１５のタッチ位置を検出して、そのタッチ入力に対応したタッチ位置信号を制御回路２０に出力し、制御回路２０は、前記タッチ位置信号を、前記電話機回路ブロック１６と、表示ドライバ１８とへ出力する。
【００２４】
前記電話機回路ブロック１６は、前記タッチ位置信号を受けて動作する。また、タッチ位置信号を受けた表示ドライバ１８は、そのタッチ位置信号に応じて、タッチ位置を示す画像を前記表示部７に表示させる。
【００２５】
前記タッチ入力とそれに対応した前記表示部７の表示を、例えば複数のメニューの選択を例にとって説明すると、この例では、前記タッチ入力部１３の入力エリア１５ａ内の任意の位置のタッチにより、図１（ａ）に示したように、前記表示部７の画面エリア１０ａ内に、アドレス表示、テレビ表示、スクロール表示等の複数のメニューマーク２１を予め定めた配置で表示するとともに、前記画面エリア１０ａのうちの前記タッチ入力部１３のタッチ位置に対応した位置にポインタ２２を表示する。
【００２６】
そして、前記複数のメニューの選択は、前記タッチ入力部１３のタッチ面を指でタッチし、その指を前記タッチ面上を滑らせて選択するメニューマーク２１の方向に移動させることにより行う。
【００２７】
このように、前記タッチ面にタッチした指を移動させると、それに対応して、前記表示部７に表示されたポインタ２２が移動するため、前記表示部７に表示された複数のメニューマーク２１のうちの選択したメニューマークに前記ポインタ２２を合わせることができる。
【００２８】
なお、前記タッチ入力部１３へのタッチ入力は、前記表示部７の表示を見ながら前記蓋ケース３の後側から行うが、前記タッチ入力部１３は、前記表示部７の画面エリア１０ａと実質的に同じ形状の入力エリア１５ａを有しているため、前記タッチ面上の指の移動方向及び移動距離と、前記ポインタ２２の移動方向及び移動距離とを１：１の関係にし、前記ポインタ２２を選択したメニューマーク２１に合わせるための指の移動に実感を持たせることができる。
【００２９】
しかも、前記表示部７と前記タッチ入力部１３は、前記表示部７の画面エリア１０ａと、前記タッチ入力部１３の入力エリア１５ａとを互いに背中合わせに対応させて、前記表示部７の画面エリア１０ａの真後に前記タッチ入力部１３の入力エリア１５ａが位置するように配置されているため、前記ポインタ２２を選択したメニューマーク２１に合わせるための指の移動を、前記表示部７の裏側からポインタ２２を移動させているような感覚で行うことができる。
【００３０】
前記メニュー選択は、前記タッチ入力部１３のタッチ面から指を離すことにより終了する。そして、前記携帯電話機は、前記メニュー選択の終了に応じて、選択されたメニュー（ポインタ２２が合わされたメニューマーク２１に対応したメニュー）を実行する。
【００３１】
すなわち、例えば前記複数のメニューのうちの画面スクロールのメニューが選択されたときは、前記表示部７の表示画像を、前記タッチ入力部１３のタッチ面上の指の移動に対応した方向にスクロールする。
【００３２】
また、前記選択されたメニューの実行は、例えば、前記タッチ入力部１３の入力エリア１５ａ内の任意の位置を複数回（例えば２回）の断続的にタッチすることにより終了する。
【００３３】
この携帯電話機は、前記表示部７と前記タッチ入力部１３とを備えているため、画像の表示とタッチ入力とを行うことができ、しかも、前記表示部７が前記蓋ケース３の前面に設けられ、タッチ入力部１３が前記蓋ケース３の後面に設けられているため、前記タッチ入力部１３のタッチ面が指紋や皮脂等の付着による汚れても、前記表示部７の表示画像を、前記タッチ面の汚れに関係無く観察することができる。
【００３４】
また、この携帯電話機は、表示パネルの観察側にタッチパネルを配置したタッチパネル付き表示ユニットを備えた電子機器のように、前記表示パネルからの出射光が前記タッチパネルを透過することにより減衰することが無く、したがって、前記表示部７に、前記液晶表示パネル１０の表示輝度に対応した明るい画像を表示することができる。
【００３５】
しかも、この携帯電話機は、前記タッチ入力部１３を形成するタッチパネル１５が透明である必要が無いため、前記タッチパネル１５の外面、つまり前記タッチ入力部１３のタッチ面に装飾印刷等を施すことができる。
【００３６】
なお、上記実施例の携帯電話機は、表示部７を形成するための表示パネルとして、液晶表示パネル１０を備えたものであるが、前記表示パネルは、例えば有機ＥＬ（エレクトロルミネッセンス）表示パネル等の発光型表示パネルでも良く、その場合は、上記実施例における面光源１１は不要である。
【００３７】
また、上記実施例では、タッチ入力部１３を静電誘導型のタッチパネル１５により形成しているが、前記タッチ入力部１３は、他の形式のタッチパネル１５により形成してもよい。
【００３８】
さらに、上記各実施例の電子機器は、折りたたみ型の携帯電話機であるが、この発明は、折りたたみ型以外の携帯電話機、電子辞書、デジタルカメラ等の、表示部とタッチ入力部を備えた電子機器に広く適用することができる。
【図面の簡単な説明】
【００３９】
【図１】この発明の第１の実施例を示す折りたたみ型携帯電話機の使用状態の正面図及び背面図。
【図２】前記携帯電話機の表示部及びタッチ入力部が設けられた部分の断面図。
【図３】前記携帯電話機電子の内蔵回路の構成図。
【符号の説明】
【００４０】
１…機器本体、２…本体ケース、３…蓋ケース、７…表示部、８…表示窓、９…表示部保護板、１０…液晶表示パネル、１０ａ…画面エリア、１１…面光源、１３…タッチ入力部、１５…タッチパネル、１５ａ…入力エリア。
【図１】
2010079660.tif 000003
【図２】
2010079660.tif 000004
【図３】
2010079660.tif 000005